【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
第１のウェブサイトが掲載されるウェブブラウザを用いて、前記第１のウェブサイトから第２のウェブサイトにジャンプするためのウェブサイトジャンプトリガ指示を識別するステップであって、前記第１のウェブサイトは、ショッピングウェブサイトであり、前記第２のウェブサイトは決済ウェブサイトである、ステップと；
前記ウェブサイトジャンプトリガ指示の識別に応じて、ｉ）前記ウェブブラウザのクッキーストアから前記第２のウェブサイトのウェブサイト識別子に関連付けられた第１のトークンと、ｉｉ）事前にパスワード無しプロキシログインが設定されたときの作動環境を示すデバイスフィンガープリントと、を取得するステップであって、前記クッキーストアは、異なる第２のウェブサイトに別々に対応する複数の前記第１のトークンを格納する、ステップと；
現在の作動環境が前記デバイスフィンガープリントの示す作動環境に対応していると特定した場合に、前記第１のトークンに対応する第２のトークンを取得するステップであって、前記第２のトークンは、前記第２のウェブサイトがパスワード無しログイン許可を与えることを示すアクセストークンを含む、ステップと；
前記ウェブブラウザを用いて、パスワード無しログインリクエストを前記第２のウェブサイトに送信するステップであって、前記パスワード無しログインリクエストは前記第２のウェブサイトのウェブサイト識別子に対応する第３のトークンを含み、前記第３のトークンは前記第２のトークンを含む、ステップと；
前記第２のウェブサイトの前記第２のトークンの検証に応じて、パスワード無しで前記第２のウェブサイトにログインするステップと；
前記第１のウェブサイトに関連付けられた埋め込みページにて前記第２のウェブサイトのログインページを表示するステップと；
前記第１のトークンに関連付けられたウェブサイト識別子に基づいて、第１のウェブサイトに関連付けられた前記埋め込みページと同じページに、前記第１のウェブサイトを介したパスワード無しプロキシログインを有効にしている少なくとも１つの別の第２のウェブサイトを表示するステップと；を備える、
コンピュータにより実施される方法。
【請求項２】
前記ウェブサイトジャンプトリガ指示を識別するステップの前に：
前記第２のウェブサイトにより送信されたパスワード無しプロキシログイン設定リクエストを、前記第１のウェブサイトにより受信するステップであって、前記パスワード無しプロキシログイン設定リクエストは前記第２のトークンを含む、ステップと；
前記デバイスフィンガープリントを含む前記第１のトークンを、前記第１のウェブサイトにより生成するステップと；
前記第１のトークンを前記ウェブブラウザの前記クッキーストアに格納するステップと；
前記第１のトークンと前記第２のトークンとの間の対応を格納し、前記パスワード無しプロキシログインの設定に成功したことを前記第２のウェブサイトに通知するステップと；を更に備える、
請求項１に記載の方法。
【請求項３】
前記ウェブブラウザの前記クッキーストアとは別のバックエンドデータベースに前記第２のトークンを格納するステップであって、前記第２のトークンを取得するステップは、前記バックエンドデータベースから前記第２のトークンを取得するステップを含む、ステップを更に備える、
請求項２に記載の方法。
【請求項４】
前記第３のウェブサイトに関連付けられたユーザの選択に応じて：
前記ウェブブラウザを用いて第２のパスワード無しログインリクエストを第３のウェブサイトに送信するステップであって、前記第２のパスワード無しログインリクエストは前記第３のウェブサイトのウェブサイト識別子に対応する第４のトークンを含み、前記第４のトークンは前記第３のウェブサイトに対応する第２のトークンを含む、ステップを更に備える、
請求項１に記載の方法。
【請求項５】
前記クッキーストアが、異なる第２のウェブサイトに別々に対応する複数の第１のトークンを格納している場合、
前記第１のウェブサイトが掲載される前記ウェブブラウザを用いて前記ウェブサイトジャンプトリガ指示を識別するステップにおいて、前記パスワード無しプロキシログインを実行するために、所定の選択規則に基づいて前記第２のウェブサイトのうちの１つを選択するステップを更に備える、
請求項４に記載の方法。
【請求項６】
前記第２のウェブサイトにより送信されるパスワード無しプロキシログイン解除リクエストを受信するステップであって、前記パスワード無しプロキシログイン解除リクエストは第４のトークンを含み、前記第４のトークンは、パスワード無しプロキシログインをキャンセルするために前記第２のウェブサイトにより生成される指示であり、前記第３のトークンは前記第２のウェブサイトの前記ウェブサイト識別子を含む、ステップと；
前記第４のトークン中の前記ウェブサイト識別子に基づき、前記第２のウェブサイトに対応する前記第１のトークンを取得するステップと；
前記第１のトークンと、前記第１のトークンに対応する前記第２のトークンとを消去するステップと；を更に備える、
請求項１に記載の方法。
【請求項７】
所定の動作を実行するためにコンピュータシステムによって実行可能な１又は複数の命令を格納する非一時的なコンピュータ読取可能媒体であって、前記動作は：
第１のウェブサイトが掲載されるウェブブラウザを用いて、前記第１のウェブサイトから第２のウェブサイトにジャンプするためのウェブサイトジャンプトリガ指示を識別する動作であって、前記第１のウェブサイトは、ショッピングウェブサイトであり、前記第２のウェブサイトは決済ウェブサイトである、動作と；
前記ウェブサイトジャンプトリガ指示の識別に応じて、ｉ）前記ウェブブラウザのクッキーストアから前記第２のウェブサイトのウェブサイト識別子に関連付けられた第１のトークンと、ｉｉ）事前にパスワード無しプロキシログインが設定されたときの作動環境を示すデバイスフィンガープリントと、を取得する動作であって、前記クッキーストアは、異なる第２のウェブサイトに別々に対応する複数の前記第１のトークンを格納する、動作と；
現在の作動環境が前記デバイスフィンガープリントの示す作動環境に対応していると特定した場合に、前記第１のトークンに対応する第２のトークンを取得する動作であって、前記第２のトークンは、前記第２のウェブサイトがパスワード無しログイン許可を与えることを示すアクセストークンを含む、動作と；
前記ウェブブラウザを用いて、パスワード無しログインリクエストを前記第２のウェブサイトに送信する動作であって、前記パスワード無しログインリクエストは前記第２のウェブサイトのウェブサイト識別子に対応する第３のトークンを含み、前記第３のトークンは前記第２のトークンを含む、動作と；
前記第２のウェブサイトの前記第２のトークンの検証に応じて、パスワード無しで前記第２のウェブサイトにログインする動作と；
前記第１のウェブサイトに関連付けられた埋め込みページにて前記第２のウェブサイトのログインページを表示する動作と；
前記第１のトークンに関連付けられたウェブサイト識別子に基づいて、第１のウェブサイトに関連付けられた前記埋め込みページと同じページに、前記第１のウェブサイトを介したパスワード無しプロキシログインを有効にしている少なくとも１つの別の第２のウェブサイトを表示する動作と；を備える、
非一時的なコンピュータ読取可能媒体。
【請求項８】
前記動作は、前記ウェブサイトジャンプトリガ指示を識別する動作の前に：
前記第２のウェブサイトにより送信されたパスワード無しプロキシログイン設定リクエストを、前記第１のウェブサイトにより受信する動作であって、前記パスワード無しプロキシログイン設定リクエストは前記第２のトークンを含む、動作と；
前記デバイスフィンガープリントを含む前記第１のトークンを、前記第１のウェブサイトにより生成する動作と；
前記第１のトークンを前記ウェブブラウザの前記クッキーストアに格納する動作と；
前記第１のトークンと前記第２のトークンとの間の対応を格納し、前記パスワード無しプロキシログインの設定に成功したことを前記第２のウェブサイトに通知する動作と；を更に備える、
請求項７に記載の非一時的なコンピュータ読取可能媒体。
【請求項９】
前記動作は、前記ウェブブラウザの前記クッキーストアとは別のバックエンドデータベースに前記第２のトークンを格納する動作であって、前記第２のトークンを取得する動作は、前記バックエンドデータベースから前記第２のトークンを取得する動作を含む、動作を更に備える、
請求項８に記載の非一時的なコンピュータ読取可能媒体。
【請求項１０】
前記動作は、前記第３のウェブサイトに関連付けられたユーザの選択に応じて：
前記ウェブブラウザを用いて第２のパスワード無しログインリクエストを第３のウェブサイトに送信する動作であって、前記第２のパスワード無しログインリクエストは前記第３のウェブサイトのウェブサイト識別子に対応する第４のトークンを含み、前記第４のトークンは前記第３のウェブサイトに対応する第２のトークンを含む、動作を更に備える、
請求項７に記載の非一時的なコンピュータ読取可能媒体。
【請求項１１】
前記クッキーストアが、異なる第２のウェブサイトに別々に対応する複数の第１のトークンを格納している場合、前記動作は、
前記第１のウェブサイトが掲載される前記ウェブブラウザを用いて前記ウェブサイトジャンプトリガ指示を識別する動作において、前記パスワード無しプロキシログインを実行するために、所定の選択規則に基づいて前記第２のウェブサイトのうちの１つを選択する動作を更に備える、
請求項１０に記載の非一時的なコンピュータ読取可能媒体。
【請求項１２】
前記動作は、
前記第２のウェブサイトにより送信されるパスワード無しプロキシログイン解除リクエストを受信する動作であって、前記パスワード無しプロキシログイン解除リクエストは第４のトークンを含み、前記第４のトークンは、パスワード無しプロキシログインをキャンセルするために前記第２のウェブサイトにより生成される指示であり、前記第３のトークンは前記第２のウェブサイトの前記ウェブサイト識別子を含む、動作と；
前記第４のトークン中の前記ウェブサイト識別子に基づき、前記第２のウェブサイトに対応する前記第１のトークンを取得する動作と；
前記第１のトークンと、前記第１のトークンに対応する前記第２のトークンとを消去する動作と；を更に備える、
請求項７に記載の非一時的なコンピュータ読取可能媒体。
【請求項１３】
１又は複数のコンピュータと；
前記１又は複数のコンピュータと相互運用可能に連結され、前記１又は複数のコンピュータによって実行されると１又は複数の動作を実行する１又は複数の命令を格納する、有形の非一時的な機械読取可能媒体であって、前記１又は複数の動作は：
第１のウェブサイトが掲載されるウェブブラウザを用いて、前記第１のウェブサイトから第２のウェブサイトにジャンプするためのウェブサイトジャンプトリガ指示を識別する動作であって、前記第１のウェブサイトは、ショッピングウェブサイトであり、前記第２のウェブサイトは決済ウェブサイトである、動作と；
前記ウェブサイトジャンプトリガ指示の識別に応じて、ｉ）前記ウェブブラウザのクッキーストアから前記第２のウェブサイトのウェブサイト識別子に関連付けられた第１のトークンと、ｉｉ）事前にパスワード無しプロキシログインが設定されたときの作動環境を示すデバイスフィンガープリントと、を取得する動作であって、前記クッキーストアは、異なる第２のウェブサイトに別々に対応する複数の前記第１のトークンを格納する、動作と；
現在の作動環境が前記デバイスフィンガープリントの示す作動環境に対応していると特定した場合に、前記第１のトークンに対応する第２のトークンを取得する動作であって、前記第２のトークンは、前記第２のウェブサイトがパスワード無しログイン許可を与えることを示すアクセストークンを含む、動作と；
前記ウェブブラウザを用いて、パスワード無しログインリクエストを前記第２のウェブサイトに送信する動作であって、前記パスワード無しログインリクエストは前記第２のウェブサイトのウェブサイト識別子に対応する第３のトークンを含み、前記第３のトークンは前記第２のトークンを含む、動作と；
前記第２のウェブサイトの前記第２のトークンの検証に応じて、パスワード無しで前記第２のウェブサイトにログインする動作と；
前記第１のウェブサイトに関連付けられた埋め込みページにて前記第２のウェブサイトのログインページを表示する動作と；
前記第１のトークンに関連付けられたウェブサイト識別子に基づいて、第１のウェブサイトに関連付けられた前記埋め込みページと同じページに、前記第１のウェブサイトを介したパスワード無しプロキシログインを有効にしている少なくとも１つの別の第２のウェブサイトを表示する動作と；を備える、前記非一時的な機械読取可能媒体と；を備える、
コンピュータにより実施されるシステム。
【請求項１４】
前記動作は、前記ウェブサイトジャンプトリガ指示を識別する動作の前に：
前記第２のウェブサイトにより送信されたパスワード無しプロキシログイン設定リクエストを、前記第１のウェブサイトにより受信する動作であって、前記パスワード無しプロキシログイン設定リクエストは前記第２のトークンを含む、動作と；
前記デバイスフィンガープリントを含む前記第１のトークンを、前記第１のウェブサイトにより生成する動作と；
前記第１のトークンを前記ウェブブラウザの前記クッキーストアに格納する動作と；
前記第１のトークンと前記第２のトークンとの間の対応を格納し、前記パスワード無しプロキシログインの設定に成功したことを前記第２のウェブサイトに通知する動作と；を更に備える、
請求項１３に記載のコンピュータにより実施されるシステム。
【請求項１５】
前記動作は、前記ウェブブラウザの前記クッキーストアとは別のバックエンドデータベースに前記第２のトークンを格納する動作であって、前記第２のトークンを取得する動作は、前記バックエンドデータベースから前記第２のトークンを取得する動作を含む、動作を更に備える、
請求項１４に記載のコンピュータにより実施されるシステム。
【請求項１６】
前記動作は、前記第３のウェブサイトに関連付けられたユーザの選択に応じて：
前記ウェブブラウザを用いて第２のパスワード無しログインリクエストを第３のウェブサイトに送信する動作であって、前記第２のパスワード無しログインリクエストは前記第３のウェブサイトのウェブサイト識別子に対応する第４のトークンを含み、前記第４のトークンは前記第３のウェブサイトに対応する第２のトークンを含む、動作を更に備える、
請求項１３に記載のコンピュータにより実施されるシステム。
【請求項１７】
前記クッキーストアが、異なる第２のウェブサイトに別々に対応する複数の第１のトークンを格納している場合、前記動作は、
前記第１のウェブサイトが掲載される前記ウェブブラウザを用いて前記ウェブサイトジャンプトリガ指示を識別する動作において、前記パスワード無しプロキシログインを実行するために、所定の選択規則に基づいて前記第２のウェブサイトのうちの１つを選択する動作を更に備える、
請求項１６に記載のコンピュータにより実施されるシステム。
【請求項１８】
前記動作は、
前記第２のウェブサイトにより送信されるパスワード無しプロキシログイン解除リクエストを受信する動作であって、前記パスワード無しプロキシログイン解除リクエストは第４のトークンを含み、前記第４のトークンは、パスワード無しプロキシログインをキャンセルするために前記第２のウェブサイトにより生成される指示であり、前記第３のトークンは前記第２のウェブサイトの前記ウェブサイト識別子を含む、動作と；
前記第４のトークン中の前記ウェブサイト識別子に基づき、前記第２のウェブサイトに対応する前記第１のトークンを取得する動作と；
前記第１のトークンと、前記第１のトークンに対応する前記第２のトークンとを消去する動作と；を更に備える、
請求項１３に記載のコンピュータにより実施されるシステム。
【手続補正２】
【補正対象書類名】明細書
【補正対象項目名】０１３８
【補正方法】変更
【補正の内容】
【０１３８】
先の説明は本願の実施の例に過ぎず、本願を限定することを意図したものではない。本願の主旨及び原理から逸脱することなくなされるいかなる改変、均等物による置き換え又は改良も、本願の保護範囲内に含まれる。
以下、本発明の実施の態様の例を列挙する。
［第１の局面］
パスワード無しプロキシにより第１のウェブサイトを介して第２のウェブサイトにログインするために用いられるウェブサイトログイン方法であって、前記方法は：
前記第１のウェブサイトがウェブサイトジャンプトリガを受信すると、前記第１のウェブサイトが掲載されるブラウザのクッキーに格納されている第１のトークンを取得するステップであって、前記第１のトークンは、前記ウェブサイトジャンプトリガによって示される第２のウェブサイトリストページ上の第２のウェブサイトのウェブサイト識別子と、前記第２のウェブサイトに対してパスワード無しプロキシログインが設定される作動環境を示すために用いられるデバイスフィンガープリントとを含む、前記第１のトークンを取得するステップと；
前記デバイスフィンガープリントに基づき、現在の作動環境が前記第２のウェブサイトに対してパスワード無しプロキシログインが設定される作動環境と同一である、と前記第１のウェブサイトが特定した場合、前記第１のウェブサイトによる、前記第１のトークンに対応する第２のトークンを取得するステップであって、前記第２のトークンは、ユーザログインが成功した後に前記第２のウェブサイトがパスワード無しログイン許可を与えることを示すアクセストークンである、前記第２のトークンを取得するステップと；
前記第１のウェブサイトによる、前記第１のトークン中の前記ウェブサイト識別子に基づき、前記第２のトークンを含む第３のトークンを含むパスワード無しログインリクエストを前記ウェブサイト識別子に対応する前記第２のウェブサイトへ送信し、第２のウェブサイトが前記第２のトークンの検証に成功すると、前記第２のウェブサイトにパスワード無しでログインするステップと；を備える、
ウェブサイトログイン方法。
［第２の局面］
前記第２のウェブサイトにより送信されたパスワード無しプロキシログイン設定リクエストを、前記第１のウェブサイトにより受信するステップであって、前記パスワード無しプロキシログイン設定リクエストは前記第２のトークンを含む、前記受信するステップと；
前記デバイスフィンガープリントを含む前記第１のトークンを、前記第１のウェブサイトにより生成し、前記第１のトークンを前記ブラウザウェブサイトの前記クッキーに格納し、前記第１のトークンと前記第２のトークンとの間の対応を格納し、パスワード無しプロキシログインの設定に成功したことを前記第２のウェブサイトに通知するステップと；を更に備える、
第１の局面に記載のウェブサイトログイン方法。
［第３の局面］
前記第１のウェブサイトを介して前記第２のウェブサイトにパスワード無しでログインした後、前記第２のウェブサイトのログイン済みページを埋め込みページ形式で表示するステップと；
前記ブラウザの前記クッキーが、異なる第２のウェブサイトに別々に対応する複数の第１のトークンを格納している場合、前記第１のウェブサイトによる、前記第１のトークン中のウェブサイト識別子に基づき、前記埋め込みページと同じページに前記第１のウェブサイトを介したパスワード無しプロキシログインが有効になっている別の第２のウェブサイトを表示するステップと；
ユーザが前記別の第２のウェブサイトを選択したことを前記第１のウェブサイトが検出した場合、パスワード無しログインリクエストを前記別の第２のウェブサイトへ送信し、前記別の第２のウェブサイトの第１のトークンに対応する第２のトークンを前記第３のトークンに追加するステップと；を更に備える、
第１の局面に記載のウェブサイトログイン方法。
［第４の局面］
前記ブラウザの前記クッキーが、異なる第２のウェブサイトに別々に対応する複数の第１のトークンを格納している場合、前記第１のウェブサイトが前記ウェブサイトジャンプトリガを受信すると、所定の選択規則に基づいて前記第２のウェブサイトのうちの１つを選択し、パスワード無しプロキシログインを実行するステップを更に備える、
第３の局面に記載のウェブサイトログイン方法。
［第５の局面］
前記第２のウェブサイトにより送信されるパスワード無しプロキシログイン解除リクエストを、前記第１のウェブサイトにより受信するステップであって、前記パスワード無しプロキシログイン解除リクエストは前記第３のトークンを含み、前記第３のトークンは、パスワード無しプロキシログインをキャンセルするために前記第２のウェブサイトにより生成される指示であり、前記第３のトークンは前記第２のウェブサイトの前記ウェブサイト識別子を含む、前記第２のウェブサイトにより送信されるパスワード無しプロキシログイン解除リクエストを、前記第１のウェブサイトにより受信するステップと；
前記第３のトークン中の前記ウェブサイト識別子に基づき、前記第２のウェブサイトを含む前記第１のトークンを、前記第１のウェブサイトにより取得し；前記第１のトークンと、前記第１のトークンに対応する前記第２のトークンとを消去するステップと；を更に備える、
第１の局面に記載のウェブサイトログイン方法。
［第６の局面］
前記第１のウェブサイトはショッピングウェブサイトであり、前記第２のウェブサイトは決済ウェブサイトである；又は、
前記第１のウェブサイトは決済ウェブサイトであり、前記第２のウェブサイトは、前記決済ウェブサイトにリンクされた別の決済ウェブサイトである、
第１乃至５の局面のいずれかに記載のウェブサイトログイン方法。
［第７の局面］
第１のウェブサイトを介して第２のウェブサイトのパスワード無しログインに用いられるウェブサイトログイン方法であって、前記方法は：
ウェブサイトジャンプトリガ識別子を、前記第１のウェブサイトによりページに表示するステップであって、前記ウェブサイトジャンプトリガ識別子は、選択されると、前記第１のウェブサイトをトリガして選択対象の複数の第２のウェブサイトを含むウェブサイトリストページへジャンプさせるために用いられる、前記表示するステップと；
前記ウェブサイトジャンプトリガ識別子のユーザ選択に応答して、前記ウェブサイトリストページ上の前記複数の第２のウェブサイトのうちの１つを表示するログイン済みページへ、前記第１のウェブサイトにより、ジャンプするステップと；を備える、
ウェブサイトログイン方法。
［第８の局面］
前記第２のウェブサイトが前記第１のウェブサイトに埋め込みページ形式で表示され、前記第２のウェブサイトの前記ログイン済みページが、パスワード無しプロキシログインが有効になっていることを示す指示を表示し、前記方法は：
パスワード無しプロキシログインが有効になっている別の第２のウェブサイトを、前記第１のウェブサイトにより更に表示するステップと；
前記別の第２のウェブサイトのユーザ選択に応答して、前記埋め込みページの位置において前記別の第２のウェブサイトのログイン済みページへ、前記第１のウェブサイトにより切り替えるステップと；を更に備える、
第７の局面に記載のウェブサイトログイン方法。
［第９の局面］
前記第２のウェブサイトが更に選択対象の複数の第３のウェブサイトにリンクされており、前記方法は：
前記ウェブサイトジャンプトリガ識別子のユーザ選択に応答して、前記複数の第２のウェブサイトのうちの１つにリンクされた第３のウェブサイトのログイン済みページを、前記第１のウェブサイトにより表示するステップを更に備える、
第７の局面に記載のウェブサイトログイン方法。
［第１０の局面］
第１のウェブサイトを介する第２のウェブサイトのパスワード無しログインに用いられるウェブサイトログイン方法であって、前記方法は：
前記第１のウェブサイトにより送信されるパスワード無しログインリクエストを、前記第２のウェブサイトにより受信するステップであって、前記パスワード無しログインリクエストは第３のトークンを含み、前記第３のトークンは第２のトークンを含み、前記第２のトークンは、ユーザログインが成功した後に前記第２のウェブサイトがパスワード無しログイン許可を与えることを示すアクセストークンである、前記受信するステップと；
前記第２のウェブサイトが前記第２のトークンの検証に成功すると、パスワード無しログインを実行するステップと；を備える、
ウェブサイトログイン方法。
［第１１の局面］
ログインをリクエストするためのログイン情報と、パスワード無しログイン設定リクエスト指示とを、前記第２のウェブサイトにより受信するステップと；

前記ログイン情報の検証に成功した後、前記指示に基づき前記第２のトークンを、前記第２のウェブサイトにより生成し、前記第１のウェブサイトが、前記パスワード無しプロキシログイン設定リクエストに基づきデバイスフィンガープリントを含む第１のトークンを生成し、前記第１のトークンと前記第２のトークンとの対応を格納するよう、前記第２のトークンを含むパスワード無しプロキシログイン設定リクエストを前記第１のウェブサイトへ送信するステップと；
前記第１のウェブサイトにより送信されるパスワード無しプロキシログインの設定に成功したことを示す通知を、前記第２のウェブサイトにより受信し、パスワード無しプロキシログインが有効になっていることを前記第２のウェブサイトのログイン済みページに表示するステップと；を更に備える、
第１０の局面に記載のウェブサイトログイン方法。
［第１２の局面］
前記第２のウェブサイトにパスワード無しでログインした後、更に、パスワード無しプロキシログインを終了するためにユーザが選択できるオプションを前記ログイン済みページに表示するステップと；
パスワード無しプロキシログインを終了する前記オプションへのトリガを受信すると、パスワード無しプロキシログインを解除するよう命令するために用いられる第４のトークンを、前記第２のウェブサイトにより生成するステップであって、前記第４のトークンは前記第２のウェブサイトのウェブサイト識別子を含む、前記生成するステップと；
前記第４のトークンに基づき前記第１のウェブサイトが前記第２のウェブサイトのパスワード無しプロキシログインを解除するよう、前記第４のトークンを含むパスワード無しプロキシログイン解除リクエストを、前記第２のウェブサイトにより前記第１のウェブサイトへ送信するステップと；を更に備える、
第１１の局面に記載のウェブサイトログイン方法。
［第１３の局面］
前記第２のウェブサイトは、更に選択対象の複数の第３のウェブサイトにリンクされており、前記方法は：
前記第２のウェブサイトにパスワード無しでログインした後、前記第２のウェブサイトが掲載されるブラウザのクッキーに格納されている第５のトークンを取得するステップであって、前記第５のトークンは、前記第３のウェブサイトうちの１つのウェブサイト識別子と、パスワード無しプロキシログインが前記第３のウェブサイトに対して設定される作動環境を示すために用いられるデバイスフィンガープリントとを含む、前記取得するステップと；
前記デバイスフィンガープリントに基づき、現在の作動環境が前記第３のウェブサイトに対してパスワード無しプロキシログインが設定される作動環境と同一であることを前記第２のウェブサイトが特定した場合、前記第５のトークンに対応する第６のトークンを、前記第２のウェブサイトにより取得するステップであって、前記第６のトークンは、ユーザログインに成功した後に前記第３のウェブサイトがパスワード無しログイン許可を与えることを示すアクセストークンである、前記取得するステップと；
前記第５のトークン中の前記ウェブサイト識別子に基づき、前記第６のトークンを含むパスワード無しログインリクエストを、前記ウェブサイト識別子に対応する前記第３のウェブサイトへ、前記第２のウェブサイトにより送信し、前記第３のウェブサイトが前記第６のトークの検証に成功した後、前記第３のウェブサイトにパスワード無しでログインするステップと；を更に備える、
第１０の局面に記載のウェブサイトログイン方法。
［第１４の局面］
パスワード無しプロキシにより第１のウェブサイトを介して第２のウェブサイトにログインするために前記第１のウェブサイトに適用されるウェブサイトログイン装置であって、前記装置は：
ウェブサイトジャンプトリガが受信されると、前記第１のウェブサイトが掲載されるブラウザのクッキーに格納されている第１のトークンを取得するように構成され、前記第１のトークンは、前記ウェブサイトジャンプトリガによって示される第２のウェブサイトリストページ上の第２のウェブサイトのウェブサイト識別子と、前記第２のウェブサイトに対してパスワード無しプロキシログインが設定される作動環境を示すために用いられるデバイスフィンガープリントとを含む、トークン取得モジュールと；
前記デバイスフィンガープリントに基づき、現在の作動環境が前記第２のウェブサイトに対してパスワード無しプロキシログインが設定される作動環境と同一であることが特定された場合、前記第１のトークンに対応する第２のトークンを取得するように構成され、前記第２のトークンは、ユーザログインに成功した後に前記第２のウェブサイトがパスワード無しログイン許可を与えることを示すアクセストークンである、トークン検証モジュールと；
前記第１のトークン中の前記ウェブサイト識別子に基づき、前記第２のトークンを含む第３のトークンを含むパスワード無しログインリクエストを、前記ウェブサイト識別子に対応する前記第２のウェブサイトへ送信し、前記第２のウェブサイトが前記第２のトークンの検証に成功すると、前記第２のウェブサイトにパスワード無しでログインするように構成されたパスワード無しログインモジュールと；を備える、
ウェブサイトログイン装置。
［第１５の局面］
前記第２のウェブサイトにより送信されるパスワード無しプロキシログイン設定リクエストを受信するように構成され、前記パスワード無しプロキシログイン設定リクエストは前記第２のトークンを含む、設定受信モジュールと；
前記デバイスフィンガープリントを含む前記第１のトークンを生成し、前記第１のトークンを前記ブラウザウェブサイトの前記クッキーに格納し、前記第１のトークンと前記第２のトークンとの対応を格納し、パスワード無しプロキシログインの設定に成功したことを前記第２のウェブサイトに通知するように構成された設定処理モジュールと；を更に備える、
第１４の局面に記載のウェブサイトログイン装置。
［第１６の局面］
前記第２のウェブサイトにパスワード無しでログインした後、前記第２のウェブサイトのログイン済みページを埋め込みページ形式で表示し、前記ブラウザの前記クッキーが、異なる第２のウェブサイトに別々に対応する複数の第１のトークンを格納している場合、前記第１のトークン中のウェブサイト識別子に基づき、前記埋め込みページと同じページに前記第１のウェブサイトを介したパスワード無しプロキシログインが有効になっている別の第２のウェブサイトを表示するように構成されたページ表示モジュールと；
ユーザが前記別の第２のウェブサイトを選択したことが検出された場合、パスワード無しログインリクエストを前記別の第２のウェブサイトへ送信し、前記別の第２のウェブサイトの第１のトークンに対応する第２のトークンを前記第３のトークンに追加するように構成されたログイン切り替えモジュールと；を更に備える、
第１４の局面に記載のウェブサイトログイン装置。
［第１７の局面］
前記ページ表示モジュールは、前記ブラウザの前記クッキーが、異なる第２のウェブサイトに別々に対応する複数の第１のトークンを格納している場合、前記ウェブサイトジャンプトリガが受信されると、所定の選択規則に基づいて前記第２のウェブサイトのうちの１つを選択してパスワード無しプロキシログインを実行するように構成された、
第１６の局面に記載のウェブサイトログイン装置。
［第１８の局面］
前記第２のウェブサイトにより送信されるパスワード無しプロキシログイン解除リクエストを受信するように構成され、前記パスワード無しプロキシログイン解除リクエストは、第３のトークンを含み、前記第３のトークンは、パスワード無しプロキシログインを解除するために前記第２のウェブサイトにより生成される指示であり、前記第３のトークンは、前記第２のウェブサイトの前記ウェブサイト識別子を含む、解除受信モジュールと；
前記第３のトークン中の前記ウェブサイト識別子に基づき、前記第２のウェブサイトを含む前記第１のトークンを取得し、前記第１のトークンと、前記第１のトークンに対応する前記第２のトークンとを消去するように構成された解除処理モジュールと；を更に備える、
第１４の局面に記載のウェブサイトログイン装置。
［第１９の局面］
前記第１のウェブサイトがショッピングウェブサイトであり、前記第２のウェブサイトが決済ウェブサイトである；又は、
前記第１のウェブサイトが決済ウェブサイトであり、前記第２のウェブサイトが、前記決済ウェブサイトにリンクされた別の決済ウェブサイトである、
第１４乃至１８の局面のいずれかに記載のウェブサイトログイン装置。
［第２０の局面］
パスワード無しプロキシにより第１のウェブサイトを介して第２のウェブサイトにログインするために前記第１のウェブサイトに適用されるウェブサイトログイン装置であって、前記装置は：
ウェブサイトジャンプトリガ識別子をページに表示するように構成され、前記ウェブサイトジャンプトリガ識別子は、選択されると、前記第１のウェブサイトをトリガして選択対象の複数の第２のウェブサイトを含むウェブサイトリストページへジャンプさせるために用いられる、識別子表示モジュールと；
前記ウェブサイトジャンプトリガ識別子のユーザ選択に応答して、前記ウェブサイトリストページ上の前記複数の第２のウェブサイトのうちの１つを表示するログイン済みページへジャンプするように構成されたページジャンプモジュールと；を備える、
ウェブサイトログイン装置。
［第２１の局面］
前記第２のウェブサイトが前記第１のウェブサイトに埋め込みページ形式で表示され、前記第２のウェブサイトの前記ログイン済みページが、パスワード無しプロキシログインが有効になっていることを示す指示を表示し、前記装置は：
パスワード無しプロキシログインが有効になっている別の第２のウェブサイトを表示するように構成されたページ表示モジュールと；
前記別の第２のウェブサイトのユーザ選択に応答して、前記埋め込みページの位置において前記別の第２のウェブサイトのログイン済みページへ切り替えるように構成されたページ切り替えモジュールと；を更に備える、
第２０の局面に記載のウェブサイトログイン装置。
［第２２の局面］
前記第２のウェブサイトが、更に、選択対象の複数の第３のウェブサイトにリンクされており、
前記ページジャンプモジュールが、更に、前記ウェブサイトジャンプトリガ識別子のユーザ選択に応答して、前記複数の第２のウェブサイトのうちの１つにリンクされた第３のウェブサイトのログイン済みページを表示するように構成される、
第２０の局面に記載のウェブサイトログイン装置。
［第２３の局面］
パスワード無しプロキシにより第１のウェブサイトを介して第２のウェブサイトにログインするために前記第２のウェブサイトに適用されるウェブサイトログイン装置であって、前記装置は：
前記第１のウェブサイトにより送信されるパスワード無しログインリクエストを受信するように構成され、前記パスワード無しログインリクエストは第３のトークンを含み、前記第３のトークンは第２のトークンを含み、前記第２のトークンは、ユーザログインに成功した後に前記第２のウェブサイトがパスワード無しログイン許可を与えることを示すアクセストークンである、リクエスト受信モジュールと；
前記第２のトークンの検証に成功すると、パスワード無しログインを実行するように構成されたログイン実行モジュールと；を備える、
ウェブサイトログイン装置。
［第２４の局面］
ログインをリクエストするためのログイン情報と、パスワード無しログイン設定リクエスト指示とを受信するように構成された設定指示モジュールと；
前記ログイン情報の検証に成功した後、前記指示に基づき前記第２のトークンを生成するように、そして、前記第１のウェブサイトが、前記パスワード無しプロキシログイン設定リクエストに基づきデバイスフィンガープリントを含む第１のトークンを生成し、前記第１のトークンと前記第２のトークンとの対応を格納するよう、前記第２のトークンを含むパスワード無しプロキシログイン設定リクエストを前記第１のウェブサイトへ送信するように構成された設定送信モジュールと；
前記第１のウェブサイトにより送信されるパスワード無しプロキシログインの設定に成功したことを示す通知を受信するように、そして、パスワード無しプロキシログインが有効にされていることを前記第２のウェブサイトのログイン済みページに表示するように構成された設定結果モジュールと；を更に備える、
第２３の局面に記載のウェブサイトログイン装置。
［第２５の局面］
パスワード無しログインが実行された後、更に、パスワード無しプロキシログインを終了するためにユーザが選択できるオプションを前記ログイン済みページに表示するように構成された解除指示モジュールと；
パスワード無しプロキシログインを終了する前記オプションへのトリガが受信されると、パスワード無しプロキシログインを解除するよう命令するために用いられる第４のトークンを生成し、前記第４のトークンは前記第２のウェブサイトのウェブサイト識別子を含み、前記第４のトークンに基づき前記第１のウェブサイトが前記第２のウェブサイトのパスワード無しプロキシログインを解除するよう、前記第４のトークンを含むパスワード無しプロキシログイン解除リクエストを前記第１のウェブサイトへ送信するように構成された解除処理モジュールと；を更に備える、
第２４の局面に記載のウェブサイトログイン装置。
［第２６の局面］
前記第２のウェブサイトは、更に、選択対象の複数の第３のウェブサイトにリンクされており、前記装置は：
パスワード無しログインが実行された後、前記第２のウェブサイトが掲載されるブラウザのクッキーに格納されている第５のトークンを取得するように構成され、前記第５のトークンは、前記第３のウェブサイトのうちの１つのウェブサイト識別子と、パスワード無しプロキシログインが前記第３のウェブサイトに対して設定される作動環境を示すために用いられるデバイスフィンガープリントとを含む、トークン取得モジュールと；

前記デバイスフィンガープリントに基づき、現在の作動環境が前記第３のウェブサイトに対してパスワード無しプロキシログインが設定される作動環境と同一であることが特定された場合、前記第５のトークンに対応する第６のトークンを取得するように構成され、前記第６のトークンは、ユーザログインに成功した後に前記第３のウェブサイトがパスワード無しログイン許可を与えることを示すアクセストークンである、フィンガープリント検証モジュールと；
前記第５のトークン中の前記ウェブサイト識別子に基づき、前記第６のトークンを含むパスワード無しログインリクエストを、前記ウェブサイト識別子に対応する前記第３のウェブサイトへ送信し、前記第３のウェブサイトが前記第６のトークンの検証に成功した後、前記第３のウェブサイトにパスワード無しでログインするように構成されたログインリクエストモジュールと；を更に備える、
第２３の局面に記載のウェブサイトログイン装置。